(57)【要約】【課題】ユーザが非常事態であることをすぐ認知することができるという長所と、これによってユーザが、外部衝撃に適切な対応の処置を取ることができるという長所がある。【解決手段】外部の地震または爆発に従う衝撃が生じると、外部からの衝撃による振動を衝撃感知部により感知し、感知された振動が臨界値以上である場合、照明装置に搭載されたランプやスピーカまたはＬＥＤを用いて外部衝撃の発生と照明装置の位置をユーザに報知する。【選択図】図１
2012028330.tif 000002
【特許請求の範囲】
【請求項１】
外部の衝撃を感知して感知された外部衝撃を外部衝撃信号として出力する衝撃感知部と、
前記外部衝撃信号を受信して受信された外部衝撃信号によってランプを点灯するよう制御する制御部と、
前記制御部の制御によって点灯される前記ランプを有するランプ部と、を含むことを特徴とする衝撃感知型の携帯用照明装置。
【請求項２】
外部の照度を測定して外部照度信号として出力する光感知部をさらに含み、
前記制御部は、前記光感知部から出力された外部照度信号が臨界照度値以下で、受信された前記外部衝撃信号が臨界衝撃値以上である場合に前記ランプが点灯されるようにすることを特徴とする請求項１に記載の衝撃感知型の携帯用照明装置。
【請求項３】
ユーザの制御命令を受信する入力部をさらに含み、
前記制御部は、
アナログ信号をデジタル信号に変換するＡＤＣユニットと、
前記入力部の制御命令を受信して前記ランプの点灯制御信号を出力するＧＰＩＯユニットと、
ビット単位にデータを送受信するシリアル通信ユニットと、
前記ＡＤＣユニットまたは前記シリアル通信ユニットから受信された前記外部衝撃信号が臨界衝撃値以上で、前記ＡＤＣユニットまたは前記シリアル通信ユニットから受信された前記外部照度信号が臨界照度値以下である場合、前記ランプを点灯するよう点灯制御信号を出力する中央処理ユニットとを含むことを特徴とする請求項２に記載の衝撃感知型の携帯用照明装置。
【請求項４】
前記臨界衝撃値は、第１レベル臨界衝撃値または第２レベル臨界衝撃値のうち一つであり、前記臨界衝撃値は、前記ＧＰＩＯユニットを介した前記入力部にてユーザから選択されることを特徴とする請求項３に記載の衝撃感知型の携帯用照明装置。
【請求項５】
前記中央処理ユニットは、前記ＡＤＣユニットまたは前記シリアル通信ユニットから受信された時間軸に連続する複数個の前記外部衝撃信号をサンプリングして、サンプリングされた複数個の前記外部衝撃信号の平均値を臨界衝撃値と比較することを特徴とする請求項３に記載の衝撃感知型の携帯用照明装置。
【請求項６】
前記中央処理ユニットは、前記外部衝撃信号が受信された場合に休止状態（ＩＤＬＥ  ＳＴＡＴＥ）から実行状態に変換されることを特徴とする請求項３に記載の衝撃感知型の携帯用照明装置。
【発明の詳細な説明】
【技術分野】
【０００１】
本発明は、衝撃感知型の携帯用照明装置に関し、より詳しくは外部からの衝撃による振動を感知し、外部衝撃の発生と照明装置の位置をユーザに報知する衝撃感知型の懐中電灯、ランタンなどの携帯用照明装置に関する。
【背景技術】
【０００２】
携帯用照明装置である懐中電灯、ランタンなどは、例えば、夜間作業、霧、煙などにより視野が確保されない場合や外部と遮断されて光が当たらない場所などにて様々な作業のために用いられたり、または、地震や火事などによって建物が断電され建物の内にいる人々が非常用の出口やその他の通路を通じて脱出するために通路の案内ができるよう用いられる。
【０００３】
この携帯用照明装置は、例えばユーザが個人的に持ちアパートなどの家具内の特定位置に配置して、必要なときにユーザが携帯用照明装置を探し非常用としてまたは作業用として使用する（例えば、特許文献１参照）。
【０００４】
特に、地震、火事または外部爆発のように、予期できない状況では、ユーザは極度の緊張状態中で照明装置を探すことは非常に困難であり、照明装置なしに建物の外への脱出を企てると人命被害が複数発生することにもなる。また、地震や外部爆発の場合、追加的な余震と追加爆発また地震または爆発に伴われる建物の妨害による追加的な人命被害がさらに発生する。この人命被害を減らすためには地震また外部爆発の時点で直ちに該当地震または爆発をユーザが認識して直ちに照明装置の位置を把握して照明装置を使用して非常口などを利用してすぐ建物から脱出することができるようにしなければならない。
【先行技術文献】
【特許文献】
【０００５】
【特許文献１】実開平６−３６１０２号公報
【発明の概要】
【発明が解決しようとする課題】
【０００６】
上述の従来技術の問題を解決することが本発明の目的である。本発明は、上述の問題を解決するために案出されることで、本発明の目的は、衝撃感知型の携帯用照明装置において、携帯用照明装置に搭載された衝撃感知部に外部衝撃を感知して、ユーザの指示なしに直ちにランプを点灯して、外部衝撃や地震などが発生する場合にも、直ちに携帯用照明装置の位置をユーザが認識できるようにし、非常状態でもユーザがすぐ照明装置を用いて必要な安全処置を取ることができるようにすることにある。
【０００７】
本発明の目的は、上述の目的に制限されることではなく、上述されない本発明の他の目的及び長所は、下記の説明により理解されることができ、本発明の実施形態によってさらに明らかにわかることができる。また、本発明の目的及び長所は、特許請求の範囲で示した手段及びその組合せにより実現されることが簡単にわかる。
【課題を解決するための手段】
【０００８】
前記目的を達成するための本発明の衝撃感知型の携帯用照明装置は、
外部の衝撃を感知して感知された外部衝撃を外部衝撃信号として出力する衝撃感知部と、
前記外部衝撃信号を受信して受信された外部衝撃信号によってランプを点灯するよう制御する制御部と、
前記制御部の制御によって点灯される前記ランプを有するランプ部と、を含むことを特徴とする。
【０００９】
また、外部の照度を測定して外部照度信号として出力する光感知部をさらに含み、
前記制御部は、前記光感知部から出力された外部照度信号が臨界照度値以下で、受信された前記外部衝撃信号が臨界衝撃値以上である場合に前記ランプが点灯されるようにしてもよい。
【００１０】
また、ユーザの制御命令を受信する入力部をさらに含み、
前記制御部は、
アナログ信号をデジタル信号に変換するＡＤＣユニットと、
前記入力部の制御命令を受信して前記ランプの点灯制御信号を出力するＧＰＩＯユニットと、
ビット単位にデータを送受信するシリアル通信ユニットと、
前記ＡＤＣユニットまたは前記シリアル通信ユニットから受信された前記外部衝撃信号が臨界衝撃値以上で、前記ＡＤＣユニットまたは前記シリアル通信ユニットから受信された前記外部照度信号が臨界照度値以下である場合、前記ランプを点灯するよう点灯制御信号を出力する中央処理ユニットとを含むようにしてもよい。
【００１１】
また、前記臨界衝撃値は、第１レベル臨界衝撃値または第２レベル臨界衝撃値のうち一つであり、前記臨界衝撃値は、前記ＧＰＩＯユニットを介した前記入力部にてユーザから選択されるようにしてもよい。
【００１２】
また、前記中央処理ユニットは、前記ＡＤＣユニットまたは前記シリアル通信ユニットから受信された時間軸に連続する複数個の前記外部衝撃信号をサンプリングして、サンプリングされた複数個の前記外部衝撃信号の平均値を臨界衝撃値と比較するようにしてもよい。
【００１３】
また、前記中央処理ユニットは、前記外部衝撃信号が受信された場合に休止状態（ＩＤＬＥ  ＳＴＡＴＥ）から実行状態に変換されるようにしてもよい。
【発明の効果】
【００１４】
本発明によれば、照明装置のユーザが外部の地震または爆発による衝撃によって、照明装置を要する場合、衝撃感知型の携帯用照明装置にて衝撃を感知することで、ユーザは非常状態であることを直ちに認知することができるという長所があって、これによってユーザは外部衝撃に適切な対応の処置を取ることができるという長所がある。
【００１５】
また、本発明によれば、ユーザは照明装置の位置を直ちに把握し、照明装置を用いて非常事態に対処することができるという長所がある。
【図面の簡単な説明】
【００１６】
【図１】本発明の一実施形態による衝撃感知型の携帯用照明装置のブロック図である。
【図２】本発明の一実施形態による衝撃感知型の携帯用照明装置の外観構成を表わす斜視図である。
【図３】本発明の一実施形態による図１に示した制御部の詳細ブロック図である。
【図４】（ａ）は本発明の一実施形態による衝撃感知型の携帯用照明装置における外部衝撃信号の波形、（ｂ）は外部衝撃信号がアナログ平均化ユニットを経た後の出力波形、（ｃ）は外部衝撃信号がアナログ平均化ユニット及びＡＤＣユニットを経た後の出力波形を示す図である。
【発明を実施するための形態】
【００１７】
上述の目的、特徴及び長所は、添付の図面を参照して詳しく後述されている説明を介してより明確になり、それによって本発明が属する技術分野で通常の知識を持つ者が本発明の技術的事象を容易に実施することができるだろう。また、本発明を説明することにおいて、本発明と係る公知の技術に対する具体的な説明が本発明の要旨を不明にする恐れがあると判断される場合、その詳しい説明を略する。以下、添付の図面を参照して本発明による実施形態を説明する。
【００１８】
図１は、本発明の一実施形態による衝撃感知型の携帯用照明装置のブロック図である。図１に示すように、衝撃感知型の携帯用照明装置は、衝撃感知部２００、光感知部３００、警告部５００、ランプ部６００、入力部４００、制御部７００及び電源部１００を含む。前記各々のブロックは、一つのチップセット内に形成されることもでき、もしくは別途の構成部品として構成されることもできる。
【００１９】
衝撃感知部２００は、照明装置外部の衝撃を周期的に感知して感知された衝撃を外部衝撃信号として出力する。この衝撃感知部２００は、振動センサーまたは加速度センサーなどで構成することもできて、もしくは前記センサーの機能を含む他のセンサーで構成することもできる。前記センサーから出力される外部衝撃信号の形態は、一般的にアナログ信号として出力される。例えば、出力される外部衝撃信号のアナログ信号は、衝撃の強度をアナログ信号の振幅の大きさで区別して出力する場合や、もしくは衝撃の強度を周波数の高低で区別して出力することもできる。また、出力される外部衝撃信号をデジタル信号ラインを用いて出力することもできる。例えば、衝撃感知部２００でシリアル通信方式、例えば、Ｉ２Ｃ(Inter-Integrated Circuit)、ＳＰＩ(Serial Peripheral Interface)、ＵＡＲＴ(Universal Asynchronous Receiver Transmitter)などを利用して周期的に受信される衝撃を前記シリアル通信方式にデータとして載せ制御部７００に伝達することもできる。また、出力される外部衝撃信号は、一つの信号で構成することもできて、もしくは複数の信号で区別されるように構成することもでき、例えば、Ｘ軸、Ｙ軸、Ｚ軸などのように、３次元に対する各々の変位値が外部衝撃信号を構成することもできる。
【００２０】
光感知部３００は、照明装置外部の明るさの程度（照度）を測定して測定された照度を出力する。照度を測定するために、光感知部３００は、光センサーを含む。光センサーは、可視光線などの外部の明るさを測定し、測定された外部の明るさに比例する信号を出力する。光センサーとしては、ＰＮ−フォトダイオード型、光導電素子型、画像センサー型など、その使用される物性に応じて分類されることができる。光センサーを使用するために、照明装置の本体には、図２に示すように、外部の照度を測定するための孔を形成することができて、孔の表面には照度を測定するための光感知部３００の光センサーを備えて光センサーから受信された光の量を数値化して、数値化された光の量を外部照度信号として出力する。出力される外部照度信号は、先の外部衝撃信号と同様にアナログ信号またはデジタル信号として出力することができる。
【００２１】
警告部５００は、制御部７００の制御によって、照明装置のユーザに危険状況を報告するブロックとして、スピーカまたはＬＥＤ(Light Emitting Diode)を含むことができる。スピーカは、照明装置の本体に隣接するように配置された複数の微細な光を介し、衝撃が外部から感知された場合に警告音を制御部７００から受信した後、出力してユーザに危険状況を報告するようにし、ＬＥＤは照明装置の本体に複数付着し、衝撃が感知された場合の危険状況で周期的に発光するように構成することができる。
【００２２】
ランプ部６００は、照明装置を点灯して光源を出力するランプと、ランプの点灯を制御することができるトランジスタを含む。ランプは、ＬＥＤランプ、メタルハライドランプまたは白熱灯などに構成することができて、トランジスタは、ランプを点灯または点滅することができるランプ制御信号を制御部７００から入力され、ＬＥＤランプ、メタルハライドランプまたは白熱灯に電源を印加または遮断するよう制御する。
【００２３】
入力部４００は、ユーザから受信される制御命令を受信する。制御命令を受信するために、照明装置本体に分離された器具物として形成される一つ以上のスイッチまたはボタンまたはプッシュタイプのボタンなどを含むことができる。ユーザの制御命令は、ランプオン／オフスイッチ、衝突監視オン／オフスイッチ、低いレベルの衝突監視オン／高いレベルの衝突監視オンスイッチの入力から受信された命令を含むことができる。勿論、このスイッチの例外のボタン、タッチタイプ、プッシュタイプのボタンなど多様な形に具現することができる。ランプオン／オフスイッチは、スイッチの両端に固定されることができる分離された固定位置を有して、ユーザが固定位置をスイッチで変動することによって、ランプオン位置の固定位置にある場合、ランプが点灯されるよう構成され、ランプオフ位置に固定された場合、ランプが点滅されるように構成される。この構成のために各々の固定位置には、制御部７００が認知可能な信号レベルを生成することができる。すなわち、例えば、ランプオフ位置にスイッチが固定された場合には、信号レベル‘０’を制御部７００に伝達するよう接地または接地と接続されたプルダウン（ｐｕｌｌ−ｄｏｗｎ）抵抗に接続されて、逆にランプオン位置にスイッチが固定された場合には、信号レベル‘１’を制御部７００に伝達するよう電源（Ｖｄｄ）または電源に接続されたプルアップ（ｐｕｌｌ−ｕｐ）抵抗に接続され、制御部７００がどの入力であるかを区別することができるようにする。前記ランプオン／オフスイッチは、制御部７００の制御と関わらずユーザが任意に照明装置をオン／オフするようにする。よって、衝突感知とは関わらずユーザはこのスイッチを用いて照明装置を点灯することができる。一方、衝突監視オン／オフスイッチが衝突監視オン位置にある場合、低いレベル衝突監視オン／高いレベル衝突監視オンスイッチの位置によって照明装置の外部から加える衝撃を感知して照明装置を自動的に点けるようにして警告音などを生成するようにする。この前記スイッチの設定は、ユーザの制御を介して固定位置に固定され、制御部７００に提供される。この入力部４００の構成は、多様な形式に変更することができる。
【００２４】
制御部７００は、衝撃感知部２００から出力された外部衝撃信号を受信して受信された外部衝撃信号が例えば低いレベル衝突感知オン／高いレベル衝突監視オンのスイッチの設定によって設定された臨界衝撃値より高くて、また光感知部３００で感知された外部照度信号が臨界照度値より低い場合、ランプ部６００のトランジスタをランプ制御信号を使用してターンオン（ｔｕｒｎ  ｏｎ）させることで、ランプを点灯するようにして、また警告部５００に警告制御信号を出力して警告部５００に含まれたＬＥＤを発光するかまたはスピーカに警告音を発するようにできる。この警告制御信号は、衝撃感知の後一定期間内に、例えば１分もしくは３分以内にだけ生成することができる。制御部７００の詳しい内容は、図３にて詳しく見る。
【００２５】
電源部１００は、衝撃感知型の携帯用照明装置のランプ及び制御部７００また電源を要する各々のブロックに該当電源を提供する。電源部１００の入力電源は、リチウムイオン、リチウムポリマー型の充電が可能な携帯型電源であってもよく、または乾電池型であってもよい。入力電源と各々のブロックに提供しなければならない電源のレベルが異なる場合には、電源部１００は、レギュレータをさらに含むことができる。電源部１００の入力電源が携帯型電源である場合、電源部１００は、充電することができるように構成された充電部をさらに備えて、照明装置外部から供給された基準電源（例えば、１２Ｖなど）を受信して充電することができる。また入力電源が電力の消費や電源の放電に応じて制御部７００の制御に要する基準電源以下に出力される場合を考え、低電力制御信号を制御部７００に提供することができて、低電力制御信号が電源部１００から入力された場合、制御部７００は、警告部５００に警告音などを介してユーザに低電力の警告を発することができる。
【００２６】
図２は、本発明の一実施形態による衝撃感知型の携帯用照明装置である懐中電灯の斜視図である。図２に示すように、衝撃感知型の携帯用照明装置は、照明装置本体に一組に器具物に付着されて制御命令を伝達する入力部４００と、照明装置本体の一側面に接続されて発光するように構成されたランプを有するランプ部６００と、光センサーを有する光感知部３００とを含む。前記入力部４００とランプを除いた衝撃感知型の携帯用照明装置のブロックは、本体内部の器具物に一つのボード形体もしくは分離されたボードで構成されることができて、一つのボードで構成された場合には、ボードの内部ＰＣＢ(Printed Circuit Board)パターンに沿って接続され、そして分離されたボードに構成された場合には、接続コネクトと電線を用いて各ボードを接続することができる。勿論、入力部４００に受信される制御命令を伝達するために、前記入力部４００は、制御部７００が搭載されたボードと接続された電線またはケーブル形体に制御命令を伝達することになる。また、照明装置本体には、電源部１００の入力電源を充電するための充電接続部をさらに含むことができて、また照明装置本体には、スピーカとＬＥＤをさらに備えて衝撃が感知された場合、照明装置のユーザに警告を提供することもできる。
【００２７】
図３は、本発明の一実施形態による制御部７００の詳細ブロック図である。図３に示すように、制御部７００は、アナログ平均化ユニット７２０、ＡＤＣ(Analog Digital Converter)ユニット７１０、ＧＰＩＯ(General Purpose Input/Output)ユニット７５０、シリアル通信ユニット７４０、メモリ７３０及び中央処理ユニット７６０を含めて一つのチップセットとして具現されてもよく、または別途の部品として構成してもよい。
【００２８】
衝撃感知部２００から出力される外部衝撃信号と光感知部３００から出力される外部照度信号は、制御部７００に入力される。制御部７００では受信された外部衝撃信号と外部照度信号をアナログ平均化ユニット７２０またはＡＤＣユニット７１０（図３中、図示せず）またはシリアル通信ユニット７４０に入力される。入力されるブロックの決定は、受信された信号のタイプに従って異ならせることができる。例えば、受信された信号がデジタルデータフォーマットのシリアル通信を使用する場合なら、シリアル通信ユニット７４０が受信先として指定されて、または受信された信号がアナログ信号であれば、アナログ平均化ユニット７２０またはＡＤＣユニット７１０が受信先として指定される。受信された信号がアナログ信号である場合に、図３においては、アナログ平均化ユニット７２０に外部衝撃信号と外部照度信号が入力されるようにされているが、アナログ平均化ユニット７２０を除いてすぐＡＤＣユニット７１０に入力させることもできる。
【００２９】
また、衝撃感知部２００から出力される外部衝撃信号と光感知部３００から出力される外部照度信号は、出力される信号のレベルが制御部７００にて受信して処理することができる信号のレベルより少ない場合、制御部７００へ入力される前に増幅器を経て制御部７００に入力させることができる。増幅器は、ＯＰ−ＡＭＰ(オペアンプ)などを用いて制御部７００にて処理することができるレベルに変更することができる。
【００３０】
アナログ平均化ユニット７２０は、受信された外部衝撃信号または外部照度信号をアナログ方式に時間軸で特定期間単位に連続的にサンプリングして平均化されるようにする。例えば、アナログ平均化ユニット７２０は、コンデンサなどを用いて具現させることができて、コンデンサの容量は、設計者が望む平均化のための対象期間の長さに従って異ならせることができる。コンデンサの容量が大きくなることによって衝突感知を信頼性あるようにできる一方、衝突感知に遅延時間を要することができる。また、制御部７００ではアナログ平均化ユニット７２０を用いることで、受信された信号がＡＣの周波数成分よりはＤＣレベルの成分をさらに含め、衝撃感知の臨界値として使用される値と容易に比較することができる長所とより信頼性ある衝撃感知をすることができる。
【００３１】
ＡＤＣユニット７１０は、アナログ信号をデジタル信号に変換する。入力される信号は、外部衝撃信号であるか外部照度信号であるか、もしくは図３に示すようにアナログ平均化ユニット７２０の出力信号のうちから一つ以上とすることができる。入力される信号は、デジタル信号に１ビット以上のＮビット信号に変換される。もし、８ビットデジタル出力である場合には、２５６レベルまで区別することができて、４ビットである場合に１６レベルに区別することができて、また１ビットである場合には、２レベルまで区別が可能である。入力される信号が、振幅の大きさで衝撃を感知する場合なら、Ｎの値が大きければ大きいほどより精密に制御が可能である一方、入力される信号が周波数で振幅の変化がない場合には、Ｎの値を１にすることができて、これは‘１’と‘０’の変化のエッジ（Ｅｄｇｅ）だけを検出すると入力される周波数を判断することができるためである。また、ＡＤＣユニット７１０は、一定周期に入力されるアナログ信号をサンプリングしてデジタル信号に変換する。サンプリング周期は、入力されるアナログ信号の周波数範囲などを考えて最大周波数の２倍の周波数などに設定することができる。
【００３２】
ＧＰＩＯユニット７５０は、入力と出力を任意に設定可能なブロックとして、ＧＰＩＯユニット７５０を介してユーザ制御命令やランプ制御信号や警告制御信号を中央処理ユニット７６０の制御下に送受信する。受信されるユーザ制御命令には、衝突監視オン／オフのスイッチの入力、低いレベル衝突監視オン／高いレベル衝突監視オンのスイッチの入力を含めることができて、ランプオン／オフのスイッチの入力をさらに含むことができる。ランプ制御信号は、ランプ部６００のトランジスタを制御することができるよう中央処理ユニット７６０により提供され、警告制御信号は、警告部５００を制御することができるよう中央処理ユニット７６０により提供される。
【００３３】
シリアル通信ユニット７４０は、衝撃感知部２００や光感知部３００の出力がデジタル出力方式である場合に、インターフェースすることとして、出力される信号の値をシリアル通信方式を介して周期的に受信して、受信された値は中央処理ユニット７６０に伝達される。
【００３４】
メモリ７３０は、中央処理ユニット７６０にて処理しなければならないプログラムと中央処理ユニット７６０に要する情報を格納する区間として、揮発性メモリもしくは非揮発性メモリのうち一つであるかその組合せで構成することができる。
【００３５】
中央処理ユニット７６０は、ＡＤＣユニット７１０またはシリアル通信ユニット７４０にて周期的に受信された外部衝撃信号と外部照度信号、そしてユーザ制御命令に従ってメモリ７３０に含まれたプログラムを用いてランプ制御信号と警告制御信号を生成する。
【００３６】
まず、中央処理ユニット７６０は、ユーザ制御命令の衝突監視オン／オフのスイッチの入力が衝突監視オフである場合、ランプ制御信号と警告制御信号を生成しないようにする。一方、衝突監視オンの入力が受信された場合、低いレベル衝突監視オン／高いレベル衝突監視オンのスイッチの入力を用い、ランプ制御信号または警告制御信号を生成するための基準点が臨界衝撃値を決定する。勿論、例として二つの臨界レベルを提示したが、二つの臨界レベルの以外に一つもしくは三つ以上の臨界レベルにおいて臨界基準点を選択することもできる。低いレベル衝突監視オンの入力がスイッチから受信された場合、中央処理ユニット７６０は、メモリ７３０に格納された臨界衝撃値１に基準点を取って、高いレベル衝突監視オンの入力がスイッチから受信された場合、中央処理ユニット７６０は、メモリ７３０に格納された臨界衝撃値２に臨界基準点を取る。臨界衝撃値１は、臨界衝撃値２よりは低い臨界値で、該当臨界値は外部衝撃信号のタイプによって周波数もしくは振幅の大きさで設定されることができて、この臨界値は、感知しようとする衝突の大きさを考えて事前に設定されることができる。中央処理ユニット７６０は、また、臨界照度値をメモリ７３０から受信し臨界照度値も外部照度信号のタイプによって周波数の値または振幅の値で設定され、夜間にまたは暗い環境の中で外部衝撃を感知するよう、例えば、臨界照度値を１０００ルクス以下などに設定することができる。
【００３７】
中央処理ユニット７６０は、周期的にサンプリングされて受信された外部衝撃信号と外部照度信号を設定された臨界基準点と臨界照度値と比較してランプ制御信号と警告制御信号を生成する。すなわち、受信された外部衝撃信号が臨界基準点以上である場合で、外部照度信号が臨界照度値以下である場合にランプが点灯するようランプ制御信号を設定して、警告部５００に警告制御信号を設定する。ランプ制御信号がランプを点灯するよう設定された場合には、ランプ部６００は、ランプを点灯するようにして、警告制御信号によって警告部５００は、スピーカまたはＬＥＤを介して警告音または点滅するよう構成することができる。設定された警告制御信号は、一定時間後に例えば１分後にオフされるよう構成され、ユーザが照明装置を探して照明装置を用いるときに警告音または点滅による不便を解消することができる。
【００３８】
また中央処理ユニット７６０は、受信された外部衝撃信号または外部照度信号に対して時間軸に一定周期内（ウィンドウ）の複数の外部衝撃信号または複数の外部照度信号に対してモニタリングしてランプ制御信号と警告制御信号を生成するよう構成することができる。ウィンドウサイズは、ＡＤＣユニット７１０のサンプリング周期やもしくはシリアル通信ユニット７４０で受信される送信周期よりは長くて複数の外部衝撃信号または複数の外部照度信号を含めてウィンドウ内の信号の平均値を取って臨界値（臨界点）と比較するようにするかもしくはウィンドウ内のパターンの変化、例えばウィンドウ内の信号の値が増加する方向で、ウィンドウ内の少なくとも一つの信号が臨界値（臨界点）以上である場合にランプ制御信号と警告制御信号を生成することができるように構成することができる。このパターンは、メモリ７３０に予め設定されたパターンに構成するか、もしくはプログラム内でウィンドウ内の信号値を判断してプログラム上で直接構成することができる。このウィンドウ内でモニタリングすることでインパルスと同様の短い周期の衝撃または照明装置内部のスイッチの変換によって引き起こされる雑信号により衝撃感知部２００または光感知部３００の出力信号の不意の変化を濾過することができる。
【００３９】
また、中央処理ユニット７６０は、低電力構成のための複数の状態を有することができる。これらの状態としては、休止（ＩＤＬＥ）状態、スタンバイ（ＳＴＡＮＤＢＹ）状態、実行（ＥＸＥＣＵＴＩＯＮ）状態などにすることができて、休止状態でも電力消費を最適に構成することができる。休止状態は、電源部１００を介して制御部７００内の主たるブロックと警告部５００などを電源が要しないように制御することができて、衝撃感知に要する衝撃感知部２００、光感知部３００などだけが機能が作動するよう構成される中央処理ユニット７６０でプログラムが行われない状態を意味し、実行状態は、周期的に入力信号をモニタリングしてランプ制御信号または警告制御信号を生成することができるようにプログラムが行われる状態を意味する。もし、衝撃感知部２００または光感知部３００から信号が受信される場合に、中央処理ユニット７６０にインターラプトなどを使用し、中央処理ユニット７６０を実行状態に変移することができるよう誘導することができる。インターラプトを生成するためにアナログ平均化ユニット７２０の出力または外部衝撃信号をインターラプトとして使用することができるし、要する場合には増幅器とバッファーやインバーターを使用してインターラプト信号を構成することができる。
【００４０】
図４は、図３の各々のブロックを通過することによる外部衝撃信号の変化された信号を示す図である。勿論、外部衝撃信号とは、別途に外部照度信号の場合にも、図４と類似な信号の変化を認識することができる。
【００４１】
図４を参照すると、（ａ）外部衝撃信号の波形は、衝撃感知部２００から出力されて制御部７００のアナログ平均化ユニット７２０に入力される信号を示している。外部衝撃信号は、時間によって変化される外部の衝撃を監視して変化された衝撃を周波数の変化（周期−Ｐ）または振幅（Ｈ）の変化を有する信号として出力される。図４は、外部の衝撃を振幅の変化として示す図である。勿論、振幅の変化による出力の場合にも、外部衝撃の周期（Ｐ）を有していて、可変的な周期によって変化された振幅がある。（ｂ）は、外部衝撃信号がアナログ平均化ユニット７２０を経た後の出力波形を示している。（ｂ）によれば、アナログ平均化ユニット７２０から出力される出力波形は、アナログ的に入力された波形（ａ）に対して平均値を時間上に連続的に取って出力することになって、よってピーク値を有する時点が入力波形に比べ一定時間の以後に形成されることになる。（ｃ）は、外部衝撃信号がアナログ平均化ユニット７２０及びＡＤＣユニット７１０を経た後のアナログ波形がデジタル波形に変換された波形を示す。この示された波形に対して中央処理ユニット７６０は、メモリ７３０に格納された臨界衝撃値１または臨界衝撃値２を用いてランプ制御信号と警告制御信号を生成する。勿論、上述のように、複数の波形信号を含むことができるウィンドウ内の波形信号をモニタリングしてランプ制御信号と警告制御信号を生成することもできる。
【００４２】
以上に説明した本発明は、本発明が属する技術分野で通常の知識を有する者において本発明の技術的事象を外さない範囲内で多様な置換、変形及び変更が可能であるので上述の実施形態及び添付の図面により限定されるものではない。
【符号の説明】
【００４３】
１００  電源部
２００  衝撃感知部
３００  光感知部
４００  入力部
５００  警告部
６００  ランプ部
７００  制御部
７１０  ＡＤＣユニット
７２０  アナログ平均化ユニット
７３０  メモリ
７４０  シリアル通信ユニット
７５０  ＧＰＩＯユニット
７６０  中央処理ユニット
【図１】
2012028330.tif 000003
【図２】
2012028330.tif 000004
【図３】
2012028330.tif 000005
【図４】
2012028330.tif 000006